(57)【特許請求の範囲】
【請求項１】
外部と異なった環境条件になっていて操作される対象物が入れられる内部と前記外部との間を仕切る仕切部分に設けられ幅と一定の高さとを持つ形状に形成されていて前記対象物の操作を可能にするための開口部と、該開口部の縁に形成された枠であって前記高さの方向の上端と下端とにおいて前記外部から前記内部の方向に二列に前記幅の方向に形成された外側溝と内側溝とを備えた枠と、前記高さ方向の両端が前記上端の前記内側溝と前記下端の前記内側溝とに前記高さの方向に摺動可能に嵌め込まれ中央の合わせ部で上部分と下部分とに分割されているシート状の仕切部材と、人の手が通過可能で前記合わせ部に対向するように設けられた穴を備えていて前記幅の一部分を占める横幅を持ち前記高さ方向の両端が前記上端の前記外側溝と前記下端の前記外側溝とに前記幅の方向に摺動可能に嵌め込まれた移動部材と、前記穴から前記移動部材と一体に前記内部の側に前記合わせ部に接触して該合わせ部を開いた形で通過するように延設された筒状体と、前記筒状体において前記内側溝より前記内部の方向に離れていて前記筒状体の外面で前記合わせ部の位置に取り付けられていて該合わせ部を結合又は離間できる少なくとも１組の結合部材であって結合又は離間するときの進行方向が互いに反対になっている結合部材と、前記穴をシールする穴シール部材と、前記移動部材の前記横幅の両側から前記仕切部材の前記外部の側の面に接触するように前記移動部材に取り付けられた両側シール部材と、を有することを特徴とする操作孔装置。
【発明の詳細な説明】
【０００１】
【発明の属する技術分野】
本発明は、外部と異なった環境条件になっていて操作される対象物が入れられる内部と外部との間を仕切る仕切部分に設けられ対象物の操作を可能にするための操作孔装置に関し、例えば、温度や湿度等の環境条件が制御される環境試験装置や、部品等をクリーンな環境条件に維持して生産するための生産ラインに利用される。
【０００２】
【従来の技術】
例えば環境試験装置において、試験室内を低温・低湿条件にして入れられる試料や装置等を外部から操作する場合には、常温で高湿度の外部空気の内部への侵入を防止し、低温になっている試料等の表面における結露の発生を防止する必要がある。そのため従来では、図６に示すように、環境試験装置等の仕切部分３００に穴を開け、この穴に切れ目の入れられたゴム製のスリット５を張り付け、スリットでシールしつつ手の出し入れが可能なようにしている。この場合、同図（ｃ）のように長穴状にスリット５´を設け、長くなった穴の範囲で手を動かせるようにして、操作性を改善した装置も実用化されている。
【０００３】
しかしながら、このような操作孔装置では、穴が仕切部分に固定配置されているため、内部の試料等の操作範囲が限定されることや、作業者によって手の間隔が異なること等により、操作性が悪かった。又、長穴にした場合でも、操作可能な範囲には限度があり、スリット部分が大きくなるために気密性が悪くなるという問題があった。
【０００４】
【発明が解決しようとする課題】
本発明は従来技術に於ける上記問題を解決し、気密性を損なうことなく操作性の良い操作孔装置を提供することを課題とする。
【０００５】
【課題を解決するための手段】
本発明は上記課題を解決するために、操作孔装置が、外部と異なった環境条件になっていて操作される対象物が入れられる内部と前記外部との間を仕切る仕切部分に設けられ幅と一定の高さとを持つ形状に形成されていて前記対象物の操作を可能にするための開口部と、該開口部の縁に形成された枠であって前記高さの方向の上端と下端とにおいて前記外部から前記内部の方向に二列に前記幅の方向に形成された外側溝と内側溝とを備えた枠と、前記高さ方向の両端が前記上端の前記内側溝と前記下端の前記内側溝とに前記高さの方向に摺動可能に嵌め込まれ中央の合わせ部で上部分と下部分とに分割されているシート状の仕切部材と、人の手が通過可能で前記合わせ部に対向するように設けられた穴を備えていて前記幅の一部分を占める横幅を持ち前記高さ方向の両端が前記上端の前記外側溝と前記下端の前記外側溝とに前記幅の方向に摺動可能に嵌め込まれた移動部材と、前記穴から前記移動部材と一体に前記内部の側に前記合わせ部に接触して該合わせ部を開いた形で通過するように延設された筒状体と、前記筒状体において前記内側溝より前記内部の方向に離れていて前記筒状体の外面で前記合わせ部の位置に取り付けられていて該合わせ部を結合又は離間できる少なくとも１組の結合部材であって結合又は離間するときの進行方向が互いに反対になっている結合部材と、前記穴をシールする穴シール部材と、前記移動部材の前記横幅の両側から前記仕切部材の前記外部の側の面に接触するように前記移動部材に取り付けられた両側シール部材と、を有することを特徴とする。
【０００７】
【発明の実施の形態】
図１は本発明を適用した操作孔装置の全体構成の一例を示し、図２、図３はその一部分の詳細構造を示す。
操作孔装置は、外部１００と内部２００との間を仕切る仕切部分３００に設けられる。外部１００は例えば操作型の環境試験装置の置かれている工場等であり、内部２００は、外部と異なった低温・低湿等の環境条件になっていて、操作される対象物である試料や装置等の入れられる環境試験装置の試験室である。仕切部分３００としては環境試験装置の扉等が相当し、通常ガラス製又はガラス窓付きのものとして構成される。
【０００８】
操作孔装置は、このような仕切部分３００に設けられ試料等の操作を可能にするための開口部１、開口部１に本例では枠２を介して装着されたシート状の仕切部材として例えば透視性及びある程度の耐熱性のある柔軟なビニールシート等からなる膜３、開口部１において本例では前記枠２に移動可能に装着された移動部材としてのスライダー４、これと膜３との間をシールするシール部材としての筒６及びゴム製のスリット５等を有する。
【０００９】
開口部１は、内部の試料等を操作可能にするための幅及びスライダー４を装着できる高さを持つように形成される。枠２には、膜３及びスライダー４を装着するための溝２１、２２が設けられている。なお、このように枠２を設けて膜やスライダーをこれに装着するようにすれば、操作孔装置をユニット化し、環境試験装置等への取り付けを容易にすることができる。但し、環境試験装置等に直接枠２の溝等に相当する構造部分を設けることも可能である。
【００１０】
膜３は上膜３１及び下膜３２として合わせ部３３で分割されている。合わせ部３３の合わせ面は上下に複列の突条及び溝の形成されたジッパーになっていて、上下の合わせ部３３を結合する結合部材としてチャック部３４が設けられている。上下膜３１、３２の上下端３１ａ、３２ａは（特に図３参照）、上下方向に摺動可能なように枠２の溝２１内に隙間を持って嵌め込まれている。膜３の左右の両端部分は、枠２の両端に接着等の適当な方法で固定されている。
【００１１】
スライダー４は、膜３の合わせ部３３に対向するように設けられた人の手の通過可能な穴４１を備えている。本例では、この穴４１と一体にこれから内部２００側に合わせ部３３を押し開いた形で通過するように筒状体としての筒６が延設されている。そして、チャック部３４は筒６の両側に固定された取付座６１に取り付けられている。このように、本例ではチャック部３４を筒６を介してスライダー４に取り付けているが、筒６が設けられないような場合には、スライダー４に直接又は適当な取付座を介して取り付けるようにしてもよい。スライダー４の上下の両端部４ａ、４ｂは、枠２の溝２２内に左右方向の摺動が可能なように嵌め込まれいている。
【００１２】
チャック部３４は、操作孔装置として少なくとも１組設けられるが、本例ではスライダー４が２組み設けられているため、チャック部３４は各スライダー毎に１組づつ合計２組設けられている。１組のチャック部３４は、合わせ部３３を結合又は離間でき、そのときの進行方向は１組を構成するそれぞれのもので互いに反対方向になっている。即ち、図２の右左のチャック部３４を３４−１及び３４−２とすれば、これらが矢印Ａ方向に進行するときには３４−１が合わせ部を開き３４−２が合わせ部を閉じ、矢印Ｂ方向に進行するときにはその反対になる。その結果、チャック部３４−１と３４−２との間従って筒６の間では合わせ部が開き、その外側では閉じ、膜の合わせ部３３が必要に応じて開閉されシールされることになる。
【００１３】
筒６の入口部分が穴４１に設けられたスリット５でシールされる共に、筒６の内部側の両側外面にチャック部３４の取付座６１が装着されることにより、上記の如く膜３１、３２と筒６との間がほぼシールされる。従って、これらの構造部分によって内外間が一応シールされているが、本例では、柔軟な材料でできたサイドカバー７をスライダー４の左右の両端部分に上下の膜３１、３２に接触するように取り付け、更にシール性の向上を図っている。なお、本例では筒６の形状を円筒形にしているが、例えば楕円形のようなある程度偏平な形にして、筒６の両側と膜３の合わせ部３３とを沿い易くして、その部分のシール性をより良くしたりチャック部３４の動きをより円滑にすることも可能である。
【００１４】
以上のような構成により、操作孔装置は次のように使用される。
環境試験装置等において、必要に応じて設けられた図示しない冷却器としての蒸発器を含む冷凍機、加熱器、加湿器、循環送風機等が運転され、内部２００が例えば低温低湿条件に調整され、内部に電子部品等の試験されるべき試料が入れられた後、試料を操作するときには、操作者は、スライダー４の穴４１からスリット５を押し開いて筒６内に手を入れる。この状態では、スリット５と手又は腕との間に不可避的に僅かな空隙部分が生ずるだけであり、内外間の空気の導通がほぼ遮断され、内部環境を乱すことなく試料の操作を行うことができる。
【００１５】
試料の他の部分や他の試料を操作したり、操作者の操作のし易い状態にするために、穴４１の位置を調整するときは、中に入れた手又は腕を単に左右に目的とする所まで動かすだけである。即ち、手や腕を動かすことにより、筒６及び穴４１を介してスライダー４が動き、これに伴って筒６の側端部に設けられたチャック部３４が動き、自動的に進行先の方向の合わせ部３３を開くと共に進行後の合わせ部を閉じることができる。その結果、スライダー４が移動すると、その移動に対応して常に合わせ部３３が開閉し、筒６を移動可能にすると共に、筒の外側を自動的にシールすることができる。このとき、サイドカバー７もスライダー４と膜３との間をシールし、シール性を向上させる。
【００１６】
図５は操作孔装置の他の例を示す。
本例の装置では、膜３を外部１００側にしてスライダー４を内部２００側に配置すると共にし、チャック部３４をスライダー４に直接取り付けている。スライダー４の両端側にはシール部材としてサイドカバー７が必須のものとして装着される。筒６は２点鎖線で示す如く必要に応じて設けられる。この例の操作孔装置では、穴４１の中に手を入れて左右に動かすと、その縁を介してスライダー４が左右に動き、これに取り付けられたチャック部３４が動き、合わせ部３３の先方側が離されて開き後方側が結合されて閉じて行く。この例の装置でも、操作が容易であると共に、内外間の気密は保持される。この場合、スライダー４と膜３との間は、前面側がスリット５でシールされ左右の両側面がサイドカバー７でシールされる。
【００１７】
なお以上では、スライダー４が両手用に水平方向に２つ設けられる例を示したが、操作の対象となる装置や施設によって必要があれば、それぞれのスライダー４及び穴の位置を傾斜させたり上下方向に配設することもできる。又、取り扱う試料によってスライダー及び穴を１つだけ設ければ足りる場合には、そのような装置も可能である。更に、以上では膜３の合わせ部をジッパーで結合する例を示したが、それぞれの膜３１、３２を突き合わせ面で結合する構造のファスナーを用いてもよい。
【００１８】
【発明の効果】
以上の如く本発明によれば、請求項１の発明においては、環境条件が異なり操作される対象物が入れられる内部と外部との間の開口部に仕切部材を設けるので、内外間は先ずこれによって遮断される。この仕切部材は合わせ部で分割されているが、この合わせ部にはこれを結合又は離間できる少なくとも１組の結合部材が設けられるので、結合した部分でシール性を維持しつつ離間した部分に手を入れて内部の対象物を操作することができる。この場合、１組の結合部材のそれぞれの結合／離間方向が互いに反対方向になっているので、結合部材を動かすと合わせ部の結合／離間状態を進行させることができる。
【００１９】
一方、開口部に移動部材を設け、これに人の手が通過可能で合わせ部に対向するように穴を設けると共に、穴の両側位置を含みこれより広い位置に結合部材を装着するので、穴及びこれと対向する位置にある合わせ部を開き、内外間を導通させるられると共に、穴を介して移動部材を移動させて結合部材を移動させ、それらの間の間隔部分を開く共に、その外側を結合することができる。そして、移動部材と仕切部材との間をシールするシール部材を設けるので、移動部材を移動させても内外間のシール状態を維持することができる。
【００２０】
その結果、単に穴に手を入れて穴を移動させるだけの動作により、自動的にシール状態を維持して対象物の目的位置に的確にアクセスでき、操作性が極めて良好になる。
【００２１】
又、仕切部材の合わせ部を通過するように移動部材の穴に筒状体を延設し、これに結合部材を取り付けるので、筒状体を介して、その穴を塞ぐシール部材と結合された合わせ部とによって簡単にシール構造を形成させることができる。又、結合部材の移動が容易になり、取扱い性が向上する。
【図面の簡単な説明】
【図１】本発明の操作孔装置の全体構造の一例を示す斜視図である。
【図２】上記装置の１つのスライダー部分を拡大した斜視図である。
【図３】上記装置の１つのスライダー部分の中心の縦断面図である。
【図４】上記装置の枠の一部分を示す斜視図である。
【図５】操作孔装置の他の例を示し、（ａ）は１つのスライダー部分の中心の縦断面図で、（ｂ）は正面図である。
【図６】ある。
従来の操作孔装置を示し、（ａ）は斜視図、（ｂ）は穴の中心位置の縦断面図、（ｃ）はスリットの他の形状を示す正面図である。
【符号の説明】
１                開口部
２                枠
３                膜（仕切部材）
４                スライダー（移動部材）
５                スリット（シール部材）
６                筒（シール部材、筒状体）
３３              合わせ部
３４              チャック部（結合部材）
４１              穴
１００            外部
２００            内部
３００            仕切部分３００
【図１】
0003996948.tif 000002
【図２】
0003996948.tif 000003
【図３】
0003996948.tif 000004
【図４】
0003996948.tif 000005
【図５】
0003996948.tif 000006
【図６】
0003996948.tif 000007